(57)【要約】【課題】消毒後に高熱の湯が使用者にかかったり、あるいは消毒済みの物を取り落として損害が生じる等の危険を回避できる消毒用容器を提供すること。【解決手段】収容空間Ｓを有するケース体１１でなり、前記ケース体が、前記載置状態において、仮想の水平断面がほぼ正方形でなり、左右側壁部に露出した把持部４０を有しており、前記扉部２０を手前とした場合に、奥行き方向に移動されて前記収容空間に挿脱されるトレー体３０と、前記トレー体３０の手前側となる端部に形成された手掛かり部と、前記扉部２０が、前記ケース体１１の前記開口部を閉止した際の閉止状態を保持するための閉止手段２４と、前記扉部の下端付近に設けられ、前記扉部を閉止した際に、前記トレー体が前記収容空間に完全に収容された状態において、このトレー体の前端に当接して係止するための係止手段２１とを備える消毒用容器。【選択図】図２
2006087942.tif 000002
【特許請求の範囲】
【請求項１】
内部に消毒対象物を収容する収容空間を有するケース体でなり、このケース体の開口部を開閉する扉部が前面に位置する載置状態として使用できるようにした消毒用容器であって、
前記ケース体が、
前記載置状態において、前記扉部を手前とした場合の扉部の幅方向が、奥行き方向に対して僅かに長く、仮想の水平断面がほぼ正方形でなり、左右側壁部に露出した把持部を有しており、
前記扉部を手前とした場合に、奥行き方向に移動されて前記収容空間に挿脱されるトレー体と、
前記トレー体が前記収容空間に挿脱される状態で配置された際に手前側となる端部に形成された手掛かり部と、
前記扉部が、前記ケース体の前記開口部を閉止した際の閉止状態を保持するための閉止手段と、
前記扉部の下端付近に設けられ、前記扉部を閉止した際に、前記トレー体が前記収容空間に完全に収容された状態において、このトレー体の前端に当接して係止するための係止手段と
を備えることを特徴とする消毒用容器。
【請求項２】
前記扉部は、前記開口部の側縁に位置した支軸を中心として回動されることにより開閉される構成とされており、この支軸は、全体の外形がほぼ内接する仮想の円周上に位置するようにして、前記ケース体に固定されていることを特徴とする請求項１に記載の消毒用容器。
【請求項３】
前記扉部の前記支軸が、これを保持する軸受に対して着脱可能とされていることを特徴とする請求項２に記載の消毒用容器。
【請求項４】
前記扉部を閉止した状態において、前記扉部の前記収容空間に露出する面に、この面に付着した水滴を前記トレーに案内する水滴案内手段を設けたことを特徴とする請求項２または３のいずれかに記載の消毒用容器。
【請求項５】
前記トレー体の前記収容空間には、前記トレー体よりも上方の位置で、トレー体と同じ方向に挿脱される小ケースが配置されるようになっており、この小ケースが、比較的小さな消毒対象物を収容するための開閉可能な空間を有し、かつこの空間と外部とを連通する複数の開口もしくはスリットを備えることを特徴とする請求項１ないし４のいずれかに記載の消毒用容器。
【請求項６】
前記ケース体の前記開口部が上方に位置するように、起立状態とすることで、前記収容空間に薬液を収容して薬液消毒を行うようにされており、前記起立状態で、前記トレー体の消毒の際に薬液の液面付近となる位置に、押さえ蓋を取り付けるための支持手段が設けられていることを特徴とする請求項１に記載の消毒用容器。
【請求項７】
前記トレー体の前記収容空間には、前記トレー体よりも上方の位置で、トレー体と同じ方向に挿脱される小ケースが配置されるようになっており、この小ケースが、比較的小さな消毒対象物を収容するための開閉可能な空間を有し、かつこの空間と外部とを連通する複数の開口もしくはスリットを備えていて、さらに、この小ケースの一部が小ケースから着脱される構成とされており、この取り外した一部が、前記トレー体の前記支持手段に取り付けられる前記押さえ蓋であることを特徴とする請求項６に記載の消毒用容器。
【請求項８】
前記載置状態において、前記扉部が上方に移動されることで前記開口部を開き、かつこの扉部が前記ケース体の上面に沿ってスライドする構成としたことを特徴とする請求項１に記載の消毒用容器。
【請求項９】
前記扉部が、前記開口部を覆う本体部と、この本体部から両側面に曲折された側面部と、この側面部に形成された案内手段と、この案内手段に係合する前記ケース体側壁部に設けられた係合部とを備えており、この係合部が前記案内手段によって前記扉部に対して相対的に移動することにより、前記扉部が、前記ケース体の上面に沿ってスライドして前記開口部を開く構成としたことを特徴とする請求項８に記載の消毒用容器。
【発明の詳細な説明】
【技術分野】
【０００１】
この発明は、主として哺乳瓶等を収容して消毒するための消毒用容器に係り、特に、電子レンジ等を用いて簡単に消毒することができる消毒用容器の改良に関するものである。
【背景技術】
【０００２】
従来、新生児や乳幼児に使用する哺乳瓶や乳首等の付属品を清潔に用いるために、使用に先立ってこれらを消毒する場合、沸騰したお湯の中でこれらを加熱消毒したり、蒸し器を利用して、湯から生じる蒸気を利用して行うようにしている。
しかし、このような消毒方法は、特に、一般家庭で行う場合には手間がかかり、高温の湯を用いることで、取り扱いに伴う危険もある。
【０００３】
このため、電子レンジに挿入できるケース体に、哺乳瓶等を収容して、電子レンジのマイクロ波を用いて消毒できる簡便な消毒用容器も提案されている（特許文献１参照）。
このような従来の消毒用容器では、扉部のついた矩形のケース体で構成されている。このケース体の扉で開閉される開口部には、スライドして出し入れされるトレー体が収容されており、このトレー体に複数の哺乳瓶を収容し、加熱用の水を入れることができるようになっている。
このため、トレー体に消毒すべき哺乳瓶を複数収容して出し入れできるので便利であり、加熱用の水の収容も簡単にできるようにされている。
そして、この消毒においては、電子レンジのマイクロ波による消毒効果と、さらに、ケース体の中の水が加熱されて、蒸気となり、これによる蒸気消毒及び洗浄を合わせて行うことができるようになっている。
【０００４】
【特許文献１】特開平８−１８７２７４号公報
【発明の開示】
【発明が解決しようとする課題】
【０００５】
ところで、上述の消毒用容器は、ケース体の開口部を開閉する扉部が容易に開いてしまう構成であるため、次のような欠点がある。
例えば、電子レンジ消毒においては、上述した水か加熱されるので、消毒後に庫内から出す場合、特に持ちやすい配慮がされていないと、ケース体の姿勢が変化して傾斜し、不意に扉が開いて、高温の湯が収容されたトレー体が滑り出してきて、使用者の手等にかかるという危険がある。
また、このような火傷に関するものの他、不意に扉が開くと、哺乳瓶やその付属品といった消毒済みの物を取り落としてしまい、消毒をやりなおさなければならなかったり、破損してしまったりするおそれがある。
【０００６】
本発明は、このような問題を解決するためになされたもので、消毒後に高熱の湯が使用者にかかったり、あるいは消毒済みの物を取り落として損害が生じる等の危険を回避できる消毒用容器を提供することを目的とする。
【課題を解決するための手段】
【０００７】
上記目的は、請求項１の発明にあっては、内部に消毒対象物を収容する収容空間を有するケース体でなり、このケース体の開口部を開閉する扉部が前面に位置する載置状態として使用できるようにした消毒用容器であって、前記ケース体が、前記載置状態において、前記扉部を手前とした場合の幅方向が、奥行き方向に対して僅かに長く、仮想の水平断面がほぼ正方形でなり、左右側壁部に露出した把持部を有しており、前記扉部を手前とした場合に、奥行き方向に移動されて前記収容空間に挿脱されるトレー体と、前記トレー体が前記収容空間に挿脱される状態で配置された際に手前側となる端部に形成された手掛かり部と、前記扉部が、前記ケース体の前記開口部を閉止した際の閉止状態を保持するための閉止手段と、前記扉部の下端付近に設けられ、前記扉部を閉止した際に、前記トレー体が前記収容空間に完全に収容された状態において、このトレー体の前端に当接して係止するための係止手段とを備える消毒用容器により、達成される。
【０００８】
請求項１の構成によれば、本発明の消毒用容器は、ケース体を開閉する扉部が前面に位置する載置状態で電子レンジの庫内に収容して電子レンジによる消毒を行うことができるものである。
この場合、前記ケース体が、前記載置状態において、前記扉部を手前とした場合の扉部の幅方向が、奥行き方向に対して僅かに長く仮想の水平断面がほぼ正方形としたので、収容物となる哺乳瓶等の出し入れを行い易い。しかも、例えば、円形のターンテーブルを備えた電子レンジの庫内に収容した場合においても、ターンテーブルの円周に対して、ケース体の外形がほぼ内接する形態であり、可能な限り大きな容積を確保しつつ、電子レンジの庫内の壁に接触せず、支障なくターンテーブルを回転させることができる。
また、ケース体の左右側壁部に露出した把持部を有していることから、電子レンジの庫内に出し入れする場合にも把手が邪魔にならず、この把手を使用して出し入れの作業がしやすい。
さらに、前記トレー体が手掛かり部を備えているので、安全にトレー体の移動操作を行うことができる。しかも扉部を閉止した際には閉止手段により扉部の閉止状態が保持されるので、消毒後にケース体を取り扱う場合に、不意に扉部が開いてしまうことがない。特に、扉部の下端付近には、係止手段が設けられており、トレー体が不用意に引き出されることが防止されているので、トレー体に収容された湯が使用者にかかったり、消毒対象物等を取り落とすことが有効に防止される。
【０００９】
請求項２の発明は、請求項１の構成において、前記扉部は、前記開口部の側縁に位置した支軸を中心として回動されることにより開閉される構成とされており、この支軸は、全体の外形がほぼ内接する仮想の円周上に位置するようにして、前記ケース体に固定されていることを特徴とする。
請求項２の構成によれば、扉部を開閉する支軸は、ケース体を含む容器全体の外形がほぼ内接する仮想の円周上に位置するようにされているので、載置状態で開口部を大きく開くことができるとともに、この仮想の円周に対応した電子レンジのターンテーブルが回転動作することを妨げない範囲で、可能なかぎり大きな容量のケース体を得ることができる。
【００１０】
請求項３の発明は、請求項２の構成において、前記扉部の前記支軸が、これを保持する軸受に対して着脱可能とされていることを特徴とする。
請求項３の構成によれば、扉部が必要に応じて着脱される。特に、扉部の開閉の際に、開き過ぎた場合や、ケース体が落下した場合等に、破壊される前に扉部が外れるようにされている。
【００１１】
請求項４の発明は、請求項２または３のいずれかの構成において、前記扉部を閉止した状態において、前記扉部の前記収容空間に露出する面に、この面に付着した水滴を前記トレーに案内する水滴案内手段を設けたことを特徴とする。
請求項４の構成によれば、電子レンジ加熱により生じる扉部に付着した水滴が、前記露出面に沿って下降し、トレー体に導かれるので、周囲を汚したり、濡らしたりすることがない。
【００１２】
請求項５の発明は、請求項１ないし４のいずれかの構成において、前記トレー体の前記収容空間には、前記トレー体よりも上方の位置で、トレー体と同じ方向に挿脱される小ケースが配置されるようになっており、この小ケースが、比較的小さな消毒対象物を収容するための開閉可能な空間を有し、かつこの空間と外部とを連通する複数の開口もしくはスリットを備えることを特徴とする。
請求項５の構成によれば、小ケースを用いて、人工乳首等の小物や付属品をケース体の収容空間にセットして、哺乳瓶等とともに同時に消毒することが可能である。特に、小ケースにおいては、トレー体の上方に位置決めされるため、加熱による蒸気が複数の開口もしくはスリットを通過して、小物や付属品に十分届くので、消毒効果が確実となる。
【００１３】
請求項６の発明は、請求項１の構成において、前記ケース体の前記開口部が上方に位置するように、起立状態とすることで、前記収容空間に薬液を収容して薬液消毒を行うようにされており、前記起立状態で、前記トレー体の消毒の際に薬液の液面付近となる位置に、押さえ蓋を取り付けるための支持手段が設けられていることを特徴とする。
請求項６の構成によれば、使用者がその育児スタイルに合わせて、本消毒容器を使用して薬液消毒を選択することができるように、薬液消毒に際しては、電子レンジ消毒の際に水の収容等で利用したトレー体を用いて、押さえ蓋を取り付けるようにしたので、消毒対象の人工乳首等の小物等が薬液から浮き出ることがなく、確実に消毒することができる。
【００１４】
請求項７の発明は、請求項６の構成において、前記トレー体の前記収容空間には、前記トレー体よりも上方の位置で、トレー体と同じ方向に挿脱される小ケースが配置されるようになっており、この小ケースが、比較的小さな消毒対象物を収容するための開閉可能な空間を有し、かつこの空間と外部とを連通する複数の開口もしくはスリットを備えていて、さらに、この小ケースの一部が小ケースから着脱される構成とされており、この取り外した一部が、前記トレー体の前記支持手段に取り付けられる前記押さえ蓋であることを特徴とする。
請求項７の構成によれば、薬液消毒に際しては、電子レンジ消毒の際に小物や付属品の収容で利用した小ケースの一部を用いて、押さえ蓋を得るようにしたので、消毒対象の小物等が薬液から浮き出ることがなく、確実に消毒することができる。
【００１５】
請求項８の発明は、請求項１の構成において、前記載置状態において、前記扉部が上方に移動されることで前記開口部を開き、かつこの扉部が前記ケース体の上面に沿ってスライドする構成としたことを特徴とする。
請求項８の構成によれば、扉部が前記ケース体の上面に沿ってスライドするようにしたので、片開きの扉部等を比較すると、開放時に開け放した扉部のためにスペースを必要とすることがない。しかも、扉部の開き方向が上方であることから、ケース体の外側に、扉部の内面をつたわる水滴等を落として、周囲を濡らすことが防止される。
しかも扉部は前記トレー体の移動方向と異なる方向に移動する構成としたので、扉部を敢えて上方に動かさない限り、閉止状態を保持する閉止手段として機能する。ことため、トレー体の移動方向への動きに追従して扉部は開くことがなく、トレー体の不意な飛び出し等を防止することができる。
【００１６】
請求項９の発明は、請求項８の構成において、前記扉部が、前記開口部を覆う本体部と、この本体部から両側面に曲折された側面部と、この側面部に形成された案内手段と、この案内手段に係合する前記ケース体側壁部に設けられた係合部とを備えており、この係合部が前記案内手段によって前記扉部に対して相対的に移動することにより、前記扉部が、前記ケース体の上面に沿ってスライドして前記開口部を開く構成としたことを特徴とする。
請求項９の構成によれば、ケース体側の係合部を、前記案内手段に係合する構造で側壁に設けることができ、消毒用容器の外形がほぼ内接する前記仮想の円周上よりも内側に収めることができ、電子レンジの庫内に収容する上で有利なコンパクトな構成とすることができる。
【発明の効果】
【００１７】
以上述べたように、本発明によれば、消毒後に高熱の湯が使用者にかかったり、あるいは消毒済みの物を取り落として損害が生じる等の危険を回避できる消毒用容器を提供することができる。
【発明を実施するための最良の形態】
【００１８】
以下、この発明の好適な実施形態を添付図面を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００１９】
図１および図２は、本発明の第１の実施形態による消毒用容器１０を示しており、それぞれ扉部を手前にした載置状態において、図１は右側から示す概略斜視図、図２は左側から示す概略斜視図である。
これらの図において、消毒用容器１０は、内部に後述する哺乳瓶やその付属品である乳首等の消毒対象物を収容する収容空間を有する箱状の本体であるケース体１１を有している。
この消毒用容器１０は、図示するような載置状態において、電子レンジ消毒に使用され、後述する起立状態、すなわち、図において背後の面を底面として起立させた状態において、薬液消毒に使用されるようになっている。
【００２０】
ケース体１１は、図３に示す前面に開口部１２があり、この開口部１２は、図１及び図２においては、扉部２０によって閉止されている。このケース体１１は、図１及び図２に示すように、載置状態において、扉部２０を手前として、幅方向Ｘの寸法が、奥行き方向Ｙに対して僅かに長い直方体形状でなり、左右側壁部１４，１５にそれぞれ露出した把持部４０，４０を有している。
【００２１】
さらに、この扉部２０の下側において、図３に示すように、奥行き方向Ｙに移動されてケース体１１の収容空間である内部空間Ｓ内に挿脱されるトレー体３０を有しており、このトレー体３０上には、消毒対象である例えば哺乳瓶のボトルＢが載せられることでセットされるようになっている。具体的には、トレー体３０の上面には、２つの凸条を設けることで、例えば３本のボトルが等間隔に配置できるようにされている。
また、図２に示すように、ケース体１１の載置状態においては、トレー体３０よりも上の位置で、ケース体１１の上述した起立状態においてほぼ下向きとなる箇所に、開閉部材５０によって開閉されるように設けられた水抜き孔が形成されている。この水抜き孔については、後で詳しく説明する。
【００２２】
図３において、ケース体１１の内部空間Ｓにおいて、トレー体３０よりも上方の空間には、図４に示す小ケース６０が収容される。この小ケース６０をケース体１１に収容する途中の状態を示したのが図５である。
図４に示されているように、小ケース６０は、全体が通気可能な貫通した細かな編み目を備えたバスケット状に形成されており、開閉できるようになっている。小ケース６０の内部には、哺乳瓶のボトルＢに固定される乳首（人工乳首）Ｎと、乳首Ｎを固定するためのキャップＫ、これに被せるフードＦ等の付属品が収容されるようになっている。尚、好ましくは、図３のようにトレー体３０が３本のボトルＢを載置する場合に、乳首Ｎと、キャップＫ、フードＦは、ボトルＢの数に合わせて、３セット分の付属品が小ケース６０に収容できるようになっている。この場合、小ケース６０の乳首Ｎ等を載置する側の面は図２２に示すように、編み目が同心の円形をなすように、放射状に連続していることから、乳首Ｎの内面に確実に蒸気を導くことができる。
このような状態で、消毒用容器１０は、電子レンジ（図示せず）の庫内に収容されて消毒が行われるようになっている。
そして、これらの構成、すなわち、ケース体１１、扉部２０、トレー体３０、小ケース６０は、電子レンジによる加熱に耐え、消毒に用いる薬液に耐える性質を有し、成形性に優れた丈夫な材質で形成され、例えば、開閉部材５０を除き、全て合成樹脂、例えば、ＰＰ（ポリプロピレン）で形成することができる。
【００２３】
図６は、消毒用容器１０の概略平面図であり、トレー体３０や小ケース６０が挿入された状態が視認できるようにされており、あわせて、電子レンジ（図示せず）のターンテーブルの周縁部Ｃとの関係が示されている。ここで、図示の円周Ｃは消毒容器１０の外形がほぼ内接する仮想の円周に相当する。図７は、図６のＡ−Ａ線概略断面図であり、トレー体３０と小ケース６０が挿入された状態で、それぞれボトルＢと付属品であるフードＦ及び乳首Ｎ、キャップＫを収容した状態が示されている。図８はケース体１１の右側面図である。
【００２４】
図６において、消毒用容器１０の平面視の形態は、奥行き方向Ｙよりも幅方向Ｘが僅かに大きい長方形であるが、むしろ正方形に近い形態である。これにより、円形のターンテーブルＣの内側に対して、消毒用容器１０の外形、特に、隅部がほぼ内接する形態とされているので、ターンテーブルＣの回転を阻害しない範囲で、可能な限りの容積を得るようにされている。すなわち、図６に示される外形と一致する消毒用容器１０の仮想の水平断面を実際の設計が許す限り正方形と同等としたものである。
【００２５】
また、消毒対象の収容空間である内部空間Ｓの扉部２０側の投影面積が、図において上側の投影面積よりも大きくなるようにされている。つまり、図示の幅Ｗ１の寸法が、Ｗ２の寸法よりも大きくなるようにされている。このため、ケース体１１を後述するように起立状態として、内部空間Ｓに薬液を所定量収容した後で、哺乳瓶Ｂやその付属品等を薬液内にいれても、液面の急激な上昇が防止されるので、薬液の外部への溢れを防止して、適切に薬液消毒を行うことができるようになっている。
【００２６】
図７に示されているように、ケース体１１の内側には、その内部空間Ｓの上部において、両側壁１４，１５に、奥行き方向Ｙに延びるレール状もしくは突条でなる小ケースガイド部１３ａが形成されている。この小ケースガイド部１３ａ上に、小ケース６０の両側面に形成された載置部が載せられて、Ｙ方向に移動可能に載置されるようになっている。同様に、ケース体１１の内側には、その内部空間Ｓの下部において両側壁１４，１５に、奥行きＹ方向に延びるレールもしくは突条等でなるトレー体ガイド部１３ｂが形成されている。このトレー体ガイド部１３ｂの下にトレー体３０の両側壁上縁が位置することで、トレー体３０は奥行きＹ方向にのみ移動されるようになっている。また、図６ないし図８を参照して理解されるように、ケース体１１を構成する各面の突き合わせ箇所は、陵線にそって曲面状に面取りされている。
【００２７】
図８には側壁把持部４０が示されている。側壁把持部４０は、図１及び図２を参照して理解されるように、左右の側壁部１４，１５に、同じ形態でそれぞれ露出して形成されている。
この側壁把持部４０は、図８に示されているように、水平な面を備える第１の把持部４１と、垂直な面を備える第２の把持部４２とが、それぞれ端部を一体にして、全体としてＬ字を横にしたような形態を備えている。この第１及び第２の把持部に隣接して、この実施形態では、第１の把持部４１と第２の把持部４２の内側に側壁突起部４３が露出して設けられている。この側壁突起部４３は、水平に平行して延びる複数の突条４３ａ，４３ｂ，４３ｃ，４３ｄを備えている。
【００２８】
このような側壁把持部４０を備えることにより、消毒用容器１０を電子レンジ消毒と、薬液消毒の別々の用途に共通して使用する上で、以下の点で便利である。すなわち、電子レンジ消毒を行う場合には、例えば、レンジの庫内にあるケース体１１を引き出す際には、図１及び図２を参照して理解されるように、第２の把持部４２に両手の適当な指をかけることで、電子レンジの開口から手前に引き出すことが容易となる。また、ケース体１１を持ち上げる際には、第１の把持部４１の下に両手の適当な指をかけることで、垂直に持ち上げることが容易となる。さらに、後述する薬液消毒の際には、ケース体１１を起立状態とした時、第２の把持部４２の下に両手の適当な指をかけることで、垂直に持ち上げることが可能となる。
【００２９】
しかも、電子レンジ消毒の際にケース体外面が熱を持った状態においては、指がかりとなる第１及び第２の把持部４１，４２を使用する際に、ケース体１１外面に誤って手が触れても、側壁突起部４３に接触することで、火傷や熱による不快感を避けることができる。
そして、側壁突起部４３が、前記水平面と平行な方向に延びる複数の突条４３ａ，４３ｂ，４３ｃ，４３ｄで形成されているので、火傷等の防止のほか、ケース体を持ち上げる際等に指をそえれば、滑り止めとなって、取り落としにくくなる。尚、把持部４０は、左右の側壁部１４，１５を膨らませ、そこに窪みを形成する等により形成してもよく、その場合には、当該窪みに突条等の滑り止めを形成すると好ましい。
【００３０】
図９はトレー体３０の概略平面図であり、図１０は図９のＢ−Ｂ線概略断面図である。トレー体３０は、電子レンジによる消毒作業の際に、消毒対象としての主として哺乳瓶Ｂを載置するもので、好ましくは複数本の哺乳瓶Ｂを載置可能な凹状の皿のような形態を備えている。これにより、トレー体３０は、電子レンジ加熱に必要とされる少量の水を貯留できる容器を兼ねている。
このため、図１０に示すように、トレー体３０の凹面形状は、扉部２０側に配置される先端側が、奥側（図１０における右側）よりも僅かに高くされており、手前側に高温の湯がこぼれないようにされている。その底面は、哺乳瓶Ｂの形態に適合するように、奥側に向かって僅かに傾斜するように形成されている。
【００３１】
トレー体３０の先端、すなわち、図９の下端、図１０の左端位置には、外方に曲面状に突出した手掛かり部３１が設けられ、手掛かり部３１の周縁３１ａは下方にリブ状にされることで、その内側に下向きに開放された空間を形成している。
また、トレー体３０の内面には、支持手段３３が形成されており、後述するように薬液消毒の際に使用される。支持手段３３は、小さな２枚の板を底面部から一体に起立させて、これらの間に狭いスリット状の空間を形成したものである。そして、トレー体３０の手掛かり部３１側が低くされており、後述する薬液消毒時に、薬液の液面に接触することなく支持手段３３への着脱ができる。この実施形態では、図９に示すように支持手段３３，３３として二箇所に形成されており、トレー体３０に複数の哺乳瓶Ｂを載置した際には、隣り合う哺乳瓶Ｂの間に位置して、哺乳瓶Ｂを載置する上で邪魔にならない位置に設けられている。そして、この支持手段３３，３３は、トレー体３０の手掛かり部３１寄りに設けられ、具体的には、後述する薬液消毒の際の消毒液の液面付近に位置するようにされている。尚、トレー体３０の手掛かり部３１は、その周縁３１ａが下方にリブ状となる構成とは異なり、扉部２０側に把持部４０と同様な突出部を設けることで形成してもよい。
【００３２】
さらに、トレー体３０の奥側には、幅方向に並んだ複数の支持手段３２，３２，３２が設けられている。この支持手段３２，３２，３２は電子レンジ消毒の際に使用される。
支持手段３２は、垂直方向に延びるスリット３２ａもしくは深い溝を備えており、図１１及び図１２に示す保持体３５を支持するものである。
これらの図において、保持体３５は、一方向に長い板体でなるベース３８の一面に等間隔な長さ方向に並ぶ円筒状の保持部３６，３６，３６を備えている。この保持部３６，３６，３６は、電子レンジ消毒の対象となる哺乳瓶Ｂ等の瓶体の開口部内径よりも小さな外形を備えており、所定の長さを有している。
また、ベース３８には、その長手方向の一辺に、それぞれ外方に延びる舌片状の支持片３７，３７，３７が、等間隔に並んで形成されている。
【００３３】
以上の構成でなる保持体３５は、トレー体３０の支持手段３２のスリット３２ａに対して、各支持片３７を挿入することで仮固定される。この際、支持片３７，３７，３７の間に位置するベース３８も支持手段３２，３２，３２の間に設けられたスリットでなる３２ｂ，３２ｂのそれぞれのスリットに入り込むことで、保持体３５を確実に保持する。この状態で、トレー体３０の上に哺乳銀Ｂを、その開口部が奥側に向くように載置すると、図７に示されているように、保持部３６が各哺乳瓶Ｂの開口部内に差し入れられるので、トレー体３０上で、各哺乳瓶Ｂが位置ずれをせず、また、水切りのために、起立状態とした際に哺乳瓶Ｂが倒れないように保持することができるとともに、保持部３６が中空の円筒状とされていることに伴い、哺乳瓶Ｂ中に蒸気が導かれることになる。このため、保持体３５には、消毒可能な数の哺乳瓶Ｂに対応した数の保持部３６が形成されている。
図１３は、扉部２０の概略平面図、図１４は扉部２０の概略水平断面図、図１５は、扉部２０の概略右側面図である。
扉部２０は、片開き式の扉でなっている。扉部２０は、図３で説明したように、ケース体１１の開口部１２のトレー体３０が占める領域を除く開口部面積を開閉する大きさに形成されている。この扉部２０は、電子レンジ消毒の場合、トレー体３０を移動させて、消毒対象物を出し入れしたり、消毒用の水を投入するとともに、図５で説明した小ケース６０を挿脱するためのものであり、後述する薬液消毒の場合には、消毒対象の哺乳瓶Ｂその他や消毒液を出し入れするためのものである。
【００３４】
扉部２０の前面には、前方に向かって曲面状に突出する手掛かり部２１が形成されている。図１５に示されているように、手掛かり部２１の周縁２１ａは下方にリブ状にされることで、その内側に下向きに開放された空間を形成している。そして、図７を参照して理解されるように、この手掛かり部２１は、扉部２０を閉止した状態において、トレー体３０の手掛かり部３１の外側に位置するように突出寸法を設定されることによって、トレー体３０の飛び出しを防止する係止手段とされている。これにより、ケース体１１に収容されたトレー体３０の手掛かり部３１の外側に、閉止した扉部２０の手掛かり部２１の周縁２１ａが当接して、トレー体３０が外側にスライドしてしまうことを防止している。
ここで、周縁２１ａは、扉部２０の下縁に沿って、下縁全体に設けられ、トレー体３０の先端側（図７の左側）上縁全体を覆い、スライドを防止するとともに密閉性を高めている。また、扉部２０の内面には、リブ２２が設けられている。このリブ２２は、図７に示すように、収容空間Ｓ内で、トレー体３０の先端側よりも内側に端部が位置しており、扉部２０に付着した蒸気によるしずくが、外部に漏れでないようになっている。
【００３５】
したがって、電子レンジ消毒後において、使用者がケース体１１を取り扱う場合に、不意に扉部２０が開いてしまうことがない。特に、扉部の下端付近には、係止手段２１（手掛かり部）が設けられており、トレー体３０が不用意に引き出されることが防止されているので、トレー体３０に収容された湯が使用者にかかったり、消毒対象物等を取り落とすことが有効に防止される。
図１３において、扉部２０の左端位置には、扉部２０を開閉するためのヒンジ部２３が設けられ、扉部２０の右端位置には、扉部２０の閉止手段としての掛止手段２４が形成されている。図１６は、扉部２０の掛止手段２４を拡大した断面で示す図であり、図において掛止手段２４は、内方に向かってほぼ「く」の字状に曲折された掛止片で、その先端部２４ａは僅かに外側に折れている。掛止手段２４の途中には、ケース体１１側の右壁部に設けた掛止凸部２５が入り込む窓状の孔２４ｂが形成されている。ケース体１１の右壁部１５に設けられた掛止凸部２５は図１に示されており、この掛止凸部２５が設けられている位置は、図６で説明した軸受２６と同様に、消毒容器１０の外形がほぼ内接する仮想の円周よりも内側であるため、掛止手段２４は、そのほとんどが右壁部１５に位置して、この結果ターンテーブルＣの内側に収まり、軸受２６とほぼ対称の箇所である。
【００３６】
掛止手段２４は、その弾性に基づくバネ性により、図１６にて矢印に示すように外側に変形することで、掛止凸部２５を乗り越えて、さらに掛止凸部２５を窓状の孔２４ｂにはめ込まれることで、掛止手段２４が内方に向かう矢印に示すように復帰し、扉部２０が閉止状態で掛止される。また、扉部２０の掛止状態を解除する場合は、掛止手段２４の先端部２４ａに指をかけて、図１６の矢印に示す外側に力をかけることで、掛止状態を簡単に解除できる。このトレー体３０の移動方向に対する扉部２０の閉止状態をたもつための閉止手段である掛止手段２４によって、扉部２０が不用意に開くことを防ぐとともに、トレー体３０が不用意に移動してしまうことを防いでいる。
【００３７】
図１７は、ヒンジ部２３を拡大した断面で示す図であり、図においてヒンジ部２３は、支軸２３ａと、後述する軸受を逃げる空間２３ｂを介して支軸２３ａと一体に形成されたアーム部２３ｃを備えている。アーム部２３ｃの支軸２３ａ側とは反対の端部は扉部２０と一体である。アーム部２３ａはこの断面において外方に凸となるような曲線状とされている。
図６に示すように、扉部２０のヒンジ部２３を設けた隅部は、消毒容器１０の外形がほぼ内接する仮想の円周に対応するターンテーブルＣの周縁に近接している。この場合、アーム部２３ａが曲線状に扉部２０の隅部を回り込んで、距離ｙ１だけ奥側にとなる左側壁部１４側にオフセットした位置に回動軸が設けられており、ケース体１１の側壁１４に軸受２６が設けられて、この軸受２６に支軸２３ａが装着されている。これにより、ヒンジ部２３は外方に突出してターンテーブルＣの周縁から外に出た領域に位置しないようにされている。
【００３８】
図１８は、ヒンジ部２３の支軸２３ａを支持する軸受２６の第１の構成例を示している。図示されているように軸受２６，２６は、スリット２６ａ，２６ａを有する複数、この場合２つの割り筒状に形成されている。
各軸受２６，２６はケース体１１を成形する際に一体に成形され、その材料に基づくある程度の弾性を備えている。
【００３９】
図２０は、消毒用容器１０の扉部２０を開いた状態を示す概略平面図であり、図において、扉部２０は、その開き角度が１８０を超えて大きくなっている。
図２１は、図２０はヒンジ部２３の周辺を拡大して示す図である。この場合、曲線状のアーム部２３ｃの突出した外面がケース体１１の側壁１４に当接して、支軸２３ａが弾性により開いた軸受２６のスリット２６ａが、その弾性によって拡開し、支軸２３ａが軸受２６から外れるようにされている。これにより、ヒンジ部２３に極端に大きな力がかかってヒンジ部２３の支軸２３ａや軸受２６が破壊されることを有効に防止できる。
【００４０】
また、扉部２０を開いて作業をする場合、例えば、後述するように、薬液消毒のためにケース体１１内に消毒液を収容する作業等において、扉部２０を着脱する場合には、図２１のようにして支軸２３ａを軸受２６から取り外し、また、取り外された支軸２３ａを軸受２６のスリット２６ａに外側から押し付けることによって、スリット２６ａを拡開し、内側に収めることができる。
【００４１】
図１９は、このようなヒンジ構造の支軸の第２の構成例である。
図１９では、複数の軸受２７，２８，２７が示されている。軸受２７においては、その片側２７ａだけがケース体１１の側壁部１４と一体である。軸受２８においては、その片側２８ａだけがケース体１１の側壁部１４と一体である。つまり、軸受２７と軸受２８は、固定端が反対で、軸受２７と軸受２８は、支軸２３ａの延びる方向に交互に配置されている。
このような構成によっても、上述したと同等の作用を得ることができる。
また、図１９において、軸受２７と軸受２８とが交互に３つ配置されているが、ひとつの軸受２７とひとつの軸受２８で構成してもよい。
【００４２】
図２２および図２３は、小ケース６０の構成例を示しており、図２２は小ケース６０の概略斜視図、図２３は図２２のＣ−Ｃ線概略断面図である。
小ケース３０は、消毒対象の付属品等を主に収容する手段であり、図２２及び図２３に示されているように、浅い箱状のバスケットのような形態である。すなわち、小ケース６０は、所定の深さの本体６１と、この本体６１に対してヒンジを介して開閉される蓋体６２を有しており、蓋体６２を閉じた状態で形成される内部空間は、図７に示されているように、乳首ＮやフードＦ、キャップＫ等が完全に収容できる大きさとなるようにされている。
【００４３】
本体６１の上端周縁部は、フランジ状の載置部６７とされており、図７で説明したケース本体１１の内面に設けられた小ケースガイド部１３ａに載置されるようになっている。蓋体６２の主面には、多数のスリット６２ａが形成されており、電子レンジ消毒の際の加熱された水から出る蒸気が通過できるようになっている。
本体６１の底面は、固定底面部６３と、着脱底面部６４とを備えている。固定底面部６３と、着脱底面部６４には、ともに同様の同心円状のスリット６１ａが、図示の場合合計６組形成されている。これは一度の消毒対象の個数に対応しており、より多い数でも、少ない数でもよい。ひとつひとつの同心円状のスリットには、それぞれ、乳首ＮやフードＦ、キャップＫが開口部を伏せた状態で置かれることで、乳首ＮやフードＦ、キャップＫの内面を含めた表面がスリットを通過する蒸気に好適にさらされるようになっている。
【００４４】
図２４及び図２５は、着脱底面部６４を示しており、図２４はその概略側面図、図２５はその概略平面図である。
着脱底面部６４は、後述するように、固定底面部６３と同一面となる位置に掛止され、あるいは掛止状態を解除することで取り外すことができるようにされている。
着脱底面部６４には、そのひとつの長辺の中央付近に、着脱底面部６４の主面と直交する方向に延びるつまみ部６５を有しており、着脱作業に利用できるようになっている。着脱底面部６４の他の長辺には、この着脱底面部６４の主面と同じ方向に延びる一対の支持片６６，６６が形成されている。後述する薬液消毒の際には、この着脱底面部６４を取り外して、その一対の支持片６６，６６を図６や図１０で説明した支持手段３３，３３の隙間に差し入れることにより、図７に示すように起立状態で薬液消毒する際に取り付けることができる。
【００４５】
図２６は、ケース体１１に設けられる水切り孔の周辺を示す部分概略斜視図である。水切り孔７０は、消毒用容器１０を載置状態とした場合に、図７に示されているように、実質的にトレー体３０よりも高い位置、すなわち、トレー体３０に収容される電子レンジ消毒に使用される水が溢れない位置に設定される。また、水切り孔７０は、後述する起立状態においては、図２６の奥側壁部１６が底面となるため、孔がほぼ下向き（斜め下向き）となる箇所に、図２で示した開閉部材５０によって開閉されるように設けられている。
これにより、電子レンジ消毒の際には、トレー体３０に収容した水が水切り孔７０からこぼれることがなく、消毒後には、水切り孔から不要となった湯を排出することができる。また、薬液消毒時には、後述する開閉部材を使用して密閉することで薬液が水切り孔から漏れ出ることがない。
ケース体１１を起立させた状態では水切り孔７０が底面である奥側壁部１６に近接し、下を向くので、湯または水を捨てる際には、完全に残さず捨てる作業が容易である。
【００４６】
このような水切り孔７０周辺の構造について先ず説明する。
図６ないし図８で説明したように、ケース体１１を構成する各面の突き合わせ箇所は、陵線にそって曲面状に面取りされている。図２６に示された奥側壁部１６と他の面との突き合わせ箇所の少なくとも水切り孔７０が形成された突き合わせ箇所もこのような曲面１６ａとされている。この曲面１６ａの中央部には、奥側壁部１６を底面として、起立状態とした際に、ケース体１１の起立状態を支持する支持脚１６ａが奥側壁部１６の四隅に形成されている。
また、水切り孔７０周辺を保護するために一対のリブ７１，７１が、ケース体１１の載置状態における水切り孔７０の上下の箇所に設けられている。
一対のリブ７１，７１は間に所定の間隔が設けられており、このリブ７１とリブ７１の間の領域は、曲面１６ａと異なり平坦面７２とされている。この平坦面７２に後述する開閉部材５０が装着されることで、隙間をつくりにくく、密閉性能をより確実にすることができる。また、平坦面７２に後述するガイド部７４の構造を形成する上において、曲面にガイド部や孔を形成する場合と比べて、型を用いた成形が容易となる。
【００４７】
図２７は水切り孔７０の周辺を示す拡大して示す平面図、図２８は図２７のＤ−Ｄ線切断端面図である。
これらの図において、水切り孔７０は貫通孔である。水切り孔７０の外面側には、その周縁に沿ってガイド部７４が形成されている。ガイド部７４はその内側と外側を一部連通する壁で形成さる。この実施形態では、ガイド部７４は、例えば、水切り孔７０の周縁に沿って、例えば、４箇所配置されたリブである。このガイド部７４のリブの間には、流路７４ａが複数箇所形成されている。ガイド部７４の高さＧＴは、少なくとも外側のリブ７１，７１の高さを超えない高さとされている。ガイド部７４の内側には、水切り孔７０との間に段部７５を形成することで、ガイド部７４の内径ＧＬ１は、水切り孔７０の内径ＨＬよりも大きく形成されている。
さらに、平坦面７２のガイド部７４及び水切り孔７０とずれた位置に固定用ボス７３が形成されている。固定用ボス７３の高さはガイド部７４と同じであることが好ましい。
図２７に示されているように、固定用ボス７３は外径の縦横比は僅かに相違しており方向性が付与されており、長径側の上面（図２８における上端）側には、後述する開閉部材の一部を着脱可能な範囲で係止可能とするためのリブとされている。
【００４８】
図２９ないし図３２は、水切り孔７０に装着される水切り孔７０の開閉部材５０の構成例を示している。
図２９は開閉部材５０の概略平面図、図３０は開閉部材５０の概略側面図、図３１は開閉部材５０の概略底面図、図３２は図２９のＥ−Ｅ線切断端面図である。開閉部材５０は、弾力性のある比較的柔軟で丈夫な材料で形成されており、例えば、シリコン等の成形品で形成されている。
開閉部材５０は、一方向に長い板状のベース５１と、ベース５１の中央付近で、その一面に一体に起立した低い有底の円筒状の中空の密閉部５２と、密閉部５２と異なる面に一体に起立させて設けた低い有底の円筒状の中空の嵌合部５３とを備えている。そして、密閉部５２及び嵌合部５３の各仮想の中心線Ｃ１は一致するようにされている。
【００４９】
図３０において、密閉部５２の外径Ｌ１は、図２８の水切り孔７０の内径ＨＬよりも僅かに大きく、変形することで水切り孔７０に緊密に受容されるようになっている。嵌合部５３の内径Ｌ２は、図２８のガイド部７４の外径ＧＬ２よりも僅かに小さく、変形することでガイド部７４に嵌合されるようになっている。また嵌合部５３の内側に設けられた凸部５３ｃの外径Ｌ３は、図２８のガイド部７４の内径ＧＬ１よりもわずかに小さく、凸部５３ｃがガイド部７４の内側に入り込むようになっている。
また、密閉部５２の高さＴＬ１は、図２８のガイド部７４の高さＧＴとほぼ一致するか僅かに小さい。これに対して、嵌合部５３の高さ、すなわち嵌合部５３の基部から先端部５３ａまでの距離ＴＬ２は、ガイド部７４の高さＧＴよりも小さく形成することで、嵌合部５３をガイド部７４にセットした状態において、ガイド部７４及び流路７４ａの平坦面側が、開閉部材５０から露出するようにされ、また、ガイド部７４への結合力が密閉部５２よりも弱くなるようにされている。
ベース５１の一端よりには、図３０において、段部５４ｂを介して嵌合部５３の上記先端部５３ａよりも低い位置に、固定用孔５４が形成されている。この固定用孔５４は、図２７及び図２８で説明した固定用ボス７３が着脱可能に係止されて、開閉部材５０を仮固定するためのものである。
【００５０】
図３３及び図３４は、このような開閉部材５０を水切り孔７０のガイド部７４に装着する様子を示しており、図３３は開閉部材５０を水切り孔７０のガイド部７４に装着した状態を示す概略平面図、図３４は図３３のＦ−Ｆ線切断端面図である。
図３４に示されているように、電子レンジ消毒の場合には、ケース体の外側から開閉部材５０−１として示されたように装着する（あわせて図２参照）。薬液消毒の場合ケース体の内側から、５０−２として示されたように装着する。
【００５１】
（電子レンジ消毒の場合）
開閉部材５０−１は、図３４（ａ）の状態とされる。すなわち、開閉部材５０−１は、消毒用容器１０の外側から、嵌合部５３を空間部５３ｂを中心にむかって変形させるようにして、ガイド部７４の外側に装着されている。すなわち、ガイド部７４は嵌合部５３の内側で凸部５３ｃの外側に受容される。この状態においては、嵌合部５３の高さは、ガイド部７４の高さよりも低いことから、浅く結合しており、結合力は比較的弱い。したがって、開閉部材５０−１をガイド部７４に装着するのは容易で、取り外しもしやすい。
この状態においては、嵌合部５３の先端部５３ａと平坦面７２との間に、隙間が生じる。この隙間は小開口Ｍ１となって、ガイド部５４を構成する各リブどうしの間でなる流路７４ａが、隙間である小開口Ｍ１の分だけ露出し、水切り孔７０と連通している。
このため、電子レンジ消毒に際して、レンジ加熱の熱で、ケース体の内側の圧力が高まった場合には、流路７４ａ及び小開口Ｍ１から空気や蒸気が抜けるので、ケース体内部の圧力が高い圧力となった場合の危険を回避できる。また、流路７４ａが開口とされているため、電子レンジ消毒後に流路７４ａから湯を捨てることで水切りすることができる。
【００５２】
ここで、この状態においては、開閉部材５０−１とガイド部７４との結合力は比較的弱いので、なんらかの原因で外れるおそれもある。そこで、固定用孔５４に、ケース体側の固定用ボス７３を緊密に挿入することで、このような脱落を防止できるように仮止めできるようになっている。また、固定用孔５４を固定用ボスに固定することで、湯を捨てて水切りする際に、嵌合部５３のガイド部７４に対する固定を解除して、水切り孔７０を完全に露出させて、短時間で一度に湯を排出してもよい。この時、ベース５１の固定用孔５４と逆側の端部は、図３４（ａ）に示すように、平坦面７２と離間しており、つまみやすくされている。
このため、作業途中において、開閉部材５０−１が脱落して紛失する等の心配がないようにされている。
【００５３】
（薬液消毒の場合）
開閉部材５０−１は、図３４（ｂ）の状態とされる。すなわち、開閉部材５０−１は、消毒用容器１０の内側から、その密閉部５２を空間部５２ａを中心にむかって変形させるようにして、水切り孔７０の内側に強制的に挿入されることで、装着されている。つまり、密閉部５２は水切り孔７０の内側に受容される。この場合密閉部５２の外径は水切り孔７０の内径より僅かに大きい状態から変形させて、深く挿入されることで結合している。このため結合力は電子レンジ消毒の場合よりもはるかに強い。したがって、開閉部材５０−２を水切り孔７０から外れにくく、しかも水切り孔７０は、密閉部５２の筒状の壁で遮蔽されるので、水抜き孔７０は完全に密閉される。さらに、ベース５１も平坦面７２に接触するように形成されているため、確実に密閉することができる。
これにより、後述するようにしてケース体を起立状態とし、内部に消毒用の薬液を収容しても、密閉状態は完全であり、外に漏れることがない。しかも、開閉部材５０−２は水切り孔７０と強固に結合しており、外れにくいので、開閉部材５０−２が容易に外れて薬液が外に漏れる心配もない。尚、電離レンジ消毒のために開閉部材を外側セットした図３４（ａ）の状態で、誤って薬液消毒のための消毒液をケース体１１内に充填しようとした場合、上述したように、流路７４ａ及び小開口Ｍ１から消毒液が漏れるため、ケース体１１内に消毒液を保持できないようになっている。
【００５４】
図３５は、開閉部材の誤った使用を防止するための工夫について説明するための図である。
そもそも、開閉部材５０では、図２９ないし図３２で説明したように、ベース５２の異なる面に密閉部５２と嵌合部５３とを別々に設けたことから、これらを択一的にしか使用できないようにされている。このため、密閉部５２と嵌合部５３とを区別しさえすれば、誤使用が生じないようにされている。
【００５５】
さらに、図３５に示されているように、ケース体の外側から開閉部材５０−３の密閉部５２を挿入しても、密閉部の高さＴＬ１は、ガイド部７４の高さＧＴよりも小さく、また、ガイド部７４の内径は密閉部５２の外径よりもはるかに大きいので、結合することができない。
あるいは、ケース体の内側から開閉部材５０−４の嵌合部５３に対応すべきガイド部がケース体１１の内面には存在しないため結合することができない。
このようにして、誤使用を防止することができる。
【００５６】
本実施形態の消毒用容器１０は以上のように構成されており、電子レンジ消毒と薬液消毒の両方に使用することができる。
電子レンジ消毒を行う場合には、消毒用容器１０を図１及び図２に示すように載置状態とする。事前の準備として、開閉部材５０は、図２及び、詳しくは図３４の符号５０−１で説明したように装着する。さらに、小ケース６０に図４で説明したように、予め洗浄を済ませた付属品として例えば、乳首ＮとフードＦ、キャップＫを配置しておく。
【００５７】
次に、図３に示すように、使用者は、扉部２０に対面した状態で、扉部２０を開き、トレー体３０を手前に引出して、トレー体３０に少量の水、例えば５０ミリリットル程度を入れ、哺乳瓶のボトルＢを配置する。この場合、ボトルＢ等は予め洗剤等で洗浄しておく。トレー体３０には、図１１、図１２等で説明した保持体３５がセットされている。この保持体３５を利用してボトルＢを位置ずれしないように配置する。特に太いタイプのボトルＢでは、３本セットできない場合もある。この場合、特に、一本のボトルＢを消毒する場合等では、保持体３５によりボトルＢを位置決めすると、作業中に位置ずれを生じないので好ましい。
【００５８】
次いで、トレー体３０を図３のＹ方向奥側に移動させた後で、図５に示すように、予め付属品を収容した小ケース６０を内部空間Ｓのトレー体３０の上にスライドさせて収容する（図７参照）。
扉部２０を閉めて、掛止手段２４により扉部２０を固定して、図示しない電子レンジの庫内を収容する。次いで、電子レンジにより、所定時間、例えば５分程度加熱する。内部空間Ｓに収容された哺乳瓶Ｂや付属品は、電子レンジのマイクロ波により加熱消毒されるとともに、トレー体３０に入れた水が加熱されて蒸気となり、その蒸気が収容物の内外に接触することで、蒸気消毒されるとともに、付着した微細なゴミ等も除去される。加熱終了後、消毒用容器１０を、側壁把持部４０，４０をそれぞれの手で保持して取り出す。
【００５９】
消毒用容器１０は熱くなっているので、できるだけ側壁把持部４０，４０を持つようにして、排水できる場所へ運び、図２６の奥側壁部１６を下に向けて、図３４で説明した流路７４ａ及び小開口Ｍ１から湯を捨てる。
最後に、図１の状態、もしくは、後述する起立状態として、清潔な哺乳瓶及び付属品をそのまま保管する。これにより、消毒後の哺乳瓶及び付属品をケース体１１内で清潔に保管することができる。
また、図１や図２の状態で保管している場合には、使用のため扉部２０を開くと、扉部２０の内面に付着していた蒸気による水滴は、重力で下降して図３のリブ２２で受けられるので、外にたれて周囲を濡らすおそれがない。
【００６０】
次に、消毒用容器１０を薬液消毒に使用する場合について、図３６ないし図４０を参照しながら説明する。
消毒用容器１０は、図１や図２のような配置ではなく、図３６に概略的に示すように、奥側壁部１６を底面として起立した状態の容器として使用する。
先ず、消毒用容器１０について扉部２０を開いて、トレー体３０を取り出し、小ケース６０や保持体３５を取り外すとともに、開閉部材５０を内部空間Ｓの内側から、図３４で説明した符号５０−２に示すようにセットする。これにより、ケース体１１の内部空間Ｓは密閉される。この場合、ケース体１１の内側に、装着する開閉部材５０の外形を縁取りした線等による案内手段を設けておけば、これに従って開閉部材５０を装着することができ、装着が容易となる。
こうして、ケース体１１の密閉状態を確保した後に、けーす体１１の内部空間Ｓ内に所定量の水を入れる。この実施形態では、ケース体１１内には、例えば、水を３．４リットル入れた場合の液面に対応して目盛りを設けている。さらに、消毒液４２ミリリットルを計量し、水に溶かして消毒薬液が準備された状態とすることができる。
【００６１】
次に、図３６に示すように、哺乳瓶のボトルＢをその瓶底をトレー体３０に向けるようにして、開口部を上に向けた状態で傾斜させてケース体１１に収容する。ボトルＢを傾斜させた分、内部空間Ｓの上部が空くので、その空間に図３７に示すように、付属品、例えば、乳首ＮやフードＦを収容する。そして、図３９の矢印に示すように、小ケース６０の着脱底面部６４をつまみ部６５を持って取り外し、図９及び図１０で説明した支持手段３３に、着脱底面部６４の支持片３７（図１２参照）を保持させることで取り付ける。この際、開口部１２側の支持手段３３が短くされていることで、つまみ部６５を持った手を薬液に必要以上に近づけることなく、着脱底面部６４をやや傾斜させて保持し、薬液の液面Ｌ３に手を触れることなく中蓋として装着することができる。
【００６２】
これにより、図４０の状態となり、液面Ｌ３は、取り付けた着脱底面部６４付近位置となる。消毒用の薬液は、次亜塩素酸ナトリウム溶液等の市販のものが使用できる。
これにより、図３７に示すように、哺乳瓶のボトルＢだけでなく、取り付けた着脱底面部６４が押さえ蓋となって、付属品、例えば、乳首ＮやフードＦ、キャップＫが液面Ｌ３より上に浮かないように押さえられて、これらが薬液ＭＬ中に完全に浸漬される。
この状態で扉部２０を閉めて、例えば１時間程度で薬液の消毒が終了するので、扉部２０を開けて、市販のハサミ状の治具等で、哺乳瓶のボトルＢや付属品を取り出し、ケース体１１内の薬液は、ケース体１１を逆さにして、図３の開口部１２から流し等に廃棄する。
以上により薬液消毒を完了する。
【００６３】
尚、哺乳瓶のボトルＢの太さや長さ等のサイズの相違によっては、図４０のような使用ができない場合、あるいはより多くのボトルＢを消毒する目的等に応じて、図３８のように使用してもよい。
図３８は、着脱底面部６４使用しないで、各ボトルＢを横向きにして収容した状態を示しており、ボトルＢを横向きにして互い違いに積み、本数を多く消毒する場合を示している。
かくして、消毒用容器１０によれば、ひとつの容器で電子レンジによる消毒と薬液消毒をそれぞれ行うことができる消毒用容器を提供することができる。
【００６４】
図４１は、本発明の消毒用容器の第２の実施形態を示す概略斜視図であり、第２の実施形態の消毒用容器８０において、第１の実施形態と同一の符号を付した箇所は共通する構成であるから、重複する説明は省略し、以下、相違点を中心に説明する。
図４１の消毒用容器８０では、扉部２０を開閉する構造だけが相違し、その他の構成は第１の実施形態と同じである。図４２は、消毒用容器８０を起立状態として扉部２０を開いた状態の概略斜視図、図４３は消毒用容器８０を載置状態として扉部２０を開いた状態の概略斜視図である。
【００６５】
消毒用容器８０の扉部２０は、図４３に示すように、載置状態において、扉部２０が上方に移動されることで開口部１２を開き、かつこの扉部２０がケース体１１の上面１８に沿ってスライドする構成とされている。
具体的には、扉部２０は、ケース体１１の開口部１２を覆う本体部２０ａを有している。この本体部２０ａの両側面が各側壁部１４，１５に向かってほぼ９０度曲折されて一体に設けた側面部８１が形成されている。
【００６６】
本体部２０ａの両側面に上記側面部８１がそれぞれ形成されている。すなわち図示の場合、側壁部１５の側だけが示されているが、側壁部１４にも側面部８１と同じ構成が設けられており、煩雑さをさけるため、以下の説明では、片方の構造だけを説明する。
側面部８１には、扉部２０の開閉の動きを案内するための案内手段８２が形成されている。この案内手段は、実施形態では、例えば、図４１において、扉部２０の本体部２０ａの高さ方向にややカーブしながら延びる長溝で、その下端部がＬ字状に曲折されている。
ケース体１１の側壁部１５には、例えば、側面部８１の板厚程度の嵌合溝を有して突出した突起状の係合部８３が一体に形成されており、この係合部８３が、長溝８２に対して係合している。
【００６７】
本実施形態は以上のように構成されており、扉部２０を開く場合には、図４１において、本体部２０ａが先ず矢印ａ方向に移動しながら、係合部８３は長溝８２内を相対的に下降する。
係合部８３が長溝８２の下端部に達するまでに、係合部８３を中心に側面部８１が徐々に回動することで、本体部２０ａは徐々に倒れて、長溝８２の下端部に達した位置で完全にケース体１１の上面１８に沿うように変位する。かくして扉部２０は、ケース体１１の上面１８に沿ってスライドして、図４３に示すように、開口部１２を開くことができる。
【００６８】
したがって、この実施形態では、トレー体３０の移動方向（ｃーｂ）に対して、異なる方向（ａーｄ）にのみ扉部２０が移動するから、上述した係止手段２４がなくても、扉部２０がｃーｂの方向に不用意に開くことは、案内手段が８２により防止される。このため、扉部２０の移動の方向を規制して案内する案内手段８２が閉止手段を構成している。
さらに、扉部２０がケース体１１の上面１８に沿ってスライドするようにしたので、図４２や図４３に示すように、開放時に開け放した扉部２０のためにスペースを必要とすることがない。しかも、扉部２０の開き方向が上方であることから、ケース体１１の外側に、扉部２０の内面をつたわる水滴等を落として、周囲を濡らすことが防止される。
また、ケース体１１側の係合部８３を、長溝８２に係合する程度に突出させて側壁１５に設けることができ、消毒用容器８０の外寸が必要以上に大きくならないことから、電子レンジの庫内に収容する上で有利なコンパクトな構成とすることができる。尚、扉部２０の手掛かり部２１を、扉部２０の移動方向に合わせ、矢印ａーｄの方向に沿って延びるように形成してもよい。また、扉部２０側に係合部８３を形成し、ケース体１１側に長溝８２を設ける構成としてもよい。
【００６９】
本発明は上述の実施形態に限定されない。
開閉部材は、本発明の原理を利用して、さらに他の構成とすることができる。上述の実施形態における種々の構成は必ずしも全て実施されなくてもよく、一部を省略したり、説明しない他の構成と適宜組み合わせることができる。
本発明の消毒用容器により消毒される対象は哺乳瓶やその付属品に限るものではなく、形態上ケース体に収容できれば、消毒対象の種類はなんでもよい。
【図面の簡単な説明】
【００７０】
【図１】本発明の第１の実施形態による消毒用容器を載置した状態における概略斜視図。
【図２】本発明の第１の実施形態による消毒用容器を載置した状態における概略斜視図。
【図３】図１の消毒用容器の扉部を開いてトレー体を引出した状態における概略斜視図。
【図４】図１の消毒用容器に用いる小ケースを開いて付属品を配置した状態を示す概略斜視図。
【図５】図１の消毒用容器の扉部を開いて小ケースを差し入れる、あるいは引出す状態における概略斜視図。
【図６】図１の消毒用容器の概略平面図。
【図７】図６のＡ−Ａ線概略断面図。
【図８】図１の消毒用容器のケース体の右側面。
【図９】図１の消毒用容器のトレイ体の概略平面図。
【図１０】図９のＢ−Ｂ線切断端面図。
【図１１】図１の消毒用容器のトレイ体に装着する保持体の概略側面図。
【図１２】図１の消毒用容器のトレイ体に装着する保持体の概略平面図。
【図１３】図１の消毒用容器の扉部の概略平面図。
【図１４】図１の消毒用容器の扉部の概略水平断面図。
【図１５】図１の消毒用容器の扉部の概略側面図。
【図１６】図１の消毒用容器の扉部の掛止手段の拡大断面図。
【図１７】図１の消毒用容器のヒンジ部の拡大断面図。
【図１８】図１７のヒンジ部の支軸を支持する軸受の第１の構成例を示す図。
【図１９】図１７のヒンジ部の支軸を支持する軸受の第２の構成例を示す図。
【図２０】図１の消毒用容器の扉部を開いた状態の概略平面図。
【図２１】図２１のヒンジ部の周辺を拡大して示す図。
【図２２】本発明の実施形態に係る圧力調整用の弁装置を適用した搾乳器の一例を示す概略斜視図。
【図２３】図２２のＣ−Ｃ線切断端面図。
【図２４】図１の消毒用容器の小ケースの着脱底面部の概略側面図。
【図２５】図１の消毒用容器の小ケースの着脱底面部の概略平面図。
【図２６】図１の消毒用容器のケース体の水切り孔周辺を示す概略斜視図。
【図２７】図２６の水切り孔周辺の領域を拡大して示す概略平面図。
【図２８】図２７のＤ−Ｄ線切断端面図。
【図２９】図１の消毒用容器の開閉部材の概略平面図。
【図３０】図１の消毒用容器の開閉部材の概略正面図。
【図３１】図１の消毒用容器の開閉部材の概略底面図。
【図３２】図２９のＥ−Ｅ線概略断面図。
【図３３】図２９の開閉部材を水切り孔周辺に装着した状態を示す概略平面図。
【図３４】図３３のＦ−Ｆ線概略断面図。
【図３５】図２９の開閉部材の誤使用の状態を説明する図。
【図３６】図１の消毒用容器のケース体に薬液消毒のためにボトルをいれた状態を示す図。
【図３７】図１の消毒用容器のケース体に薬液消毒のためにボトルをいれ着脱底面図を装着した状態を示す図。
【図３８】図１の消毒用容器のケース体に薬液消毒のためにボトルをいれた他の例を示す図。
【図３９】図１の消毒用容器の小ケースの着脱底面部を取り外す状態を示す図。
【図４０】図１の消毒用容器のケース体に薬液消毒のためにボトルをいれ着脱底面図を装着した状態を示す概略斜視図。
【図４１】本発明の消毒用容器の第２の実施形態を示す概略斜視図。
【図４２】図４１の消毒用容器を起立状態として扉部を開いた状態の概略斜視図。
【図４３】図４１の消毒用容器を載置状態として扉部を開いた状態の概略斜視図。
【符号の説明】
【００７１】
１０・・・消毒用容器、１１・・・ケース体、２０・・・扉部、３０・・・トレー体、４０・・・側壁把持部、５０・・・開閉部材、５１・・・ベース、５２・・・密閉部、５３・・・嵌合部、６０・・・小ケース、７０・・・水抜き孔
【図１】
2006087942.tif 000003
【図２】
2006087942.tif 000004
【図３】
2006087942.tif 000005
【図４】
2006087942.tif 000006
【図５】
2006087942.tif 000007
【図６】
2006087942.tif 000008
【図７】
2006087942.tif 000009
【図８】
2006087942.tif 000010
【図９】
2006087942.tif 000011
【図１０】
2006087942.tif 000012
【図１１】
2006087942.tif 000013
【図１２】
2006087942.tif 000014
【図１３】
2006087942.tif 000015
【図１４】
2006087942.tif 000016
【図１５】
2006087942.tif 000017
【図１６】
2006087942.tif 000018
【図１７】
2006087942.tif 000019
【図１８】
2006087942.tif 000020
【図１９】
2006087942.tif 000021
【図２０】
2006087942.tif 000022
【図２１】
2006087942.tif 000023
【図２２】
2006087942.tif 000024
【図２３】
2006087942.tif 000025
【図２４】
2006087942.tif 000026
【図２５】
2006087942.tif 000027
【図２６】
2006087942.tif 000028
【図２７】
2006087942.tif 000029
【図２８】
2006087942.tif 000030
【図２９】
2006087942.tif 000031
【図３０】
2006087942.tif 000032
【図３１】
2006087942.tif 000033
【図３２】
2006087942.tif 000034
【図３３】
2006087942.tif 000035
【図３４】
2006087942.tif 000036
【図３５】
2006087942.tif 000037
【図３６】
2006087942.tif 000038
【図３７】
2006087942.tif 000039
【図３８】
2006087942.tif 000040
【図３９】
2006087942.tif 000041
【図４０】
2006087942.tif 000042
【図４１】
2006087942.tif 000043
【図４２】
2006087942.tif 000044
【図４３】
2006087942.tif 000045
【手続補正書】
【提出日】平成17年11月24日(2005.11.24)
【手続補正１】
【補正対象書類名】特許請求の範囲
【補正対象項目名】全文
【補正方法】変更
【補正の内容】
【特許請求の範囲】
【請求項１】
内部に消毒対象物を収容する収容空間を有するケース体でなり、このケース体の開口部を開閉する扉部が前面に位置する載置状態として使用できるようにした消毒用容器であって、
前記ケース体が、
前記載置状態において、前記扉部を手前とした場合の該扉部の幅方向Ｘが、奥行き方向Ｙに対して僅かに長く、
左右側壁部に露出した把持部を有しており、
さらに、
前記扉部を手前とした場合に、奥行き方向に移動されて前記収容空間に挿脱されるトレー体と、
前記トレー体が前記収容空間に挿脱される状態で配置された際に手前側となる端部に形成されたトレー体の手掛かり部と、
前記扉部が、前記ケース体の前記開口部を閉止した際の閉止状態を保持するための閉止手段と、
前記扉部の下端付近に設けられ、前記扉部を閉止した際に、前記トレー体が前記収容空間に完全に収容された状態において、このトレー体の前端に当接して係止するための係止手段と
を備えることを特徴とする消毒用容器。
【請求項２】
前記扉部は、前記開口部の側縁に位置した支軸を中心として回動されることにより開閉される構成とされており、この支軸は、前記ケース体の側壁に設けられていて、該ケース体全体の外形がほぼ内接する仮想の円周の内側に位置するようにして、前記ケース体に固定されていることを特徴とする請求項１に記載の消毒用容器。
【請求項３】
前記扉部の前記支軸が、これを保持する軸受に対して着脱可能とされていることを特徴とする請求項２に記載の消毒用容器。
【請求項４】
前記扉部を閉止した状態において、前記扉部の前記収容空間に露出する面に、この面に付着した水滴を前記トレーに案内する水滴案内手段を設けたことを特徴とする請求項２または３のいずれかに記載の消毒用容器。
【請求項５】
前記トレー体の前記収容空間には、前記トレー体よりも上方の位置で、トレー体と同じ方向に挿脱される小ケースが配置されるようになっており、この小ケースが、比較的小さな消毒対象物を収容するための開閉可能な空間を有し、かつこの空間と外部とを連通する複数の開口もしくはスリットを備えることを特徴とする請求項１ないし４のいずれかに記載の消毒用容器。
【請求項６】
前記ケース体の前記開口部が上方に位置するように、起立状態とすることで、前記収容空間に薬液を収容して薬液消毒を行うようにされており、前記起立状態で、前記トレー体の消毒の際に薬液の液面付近となる位置に、押さえ蓋を取り付けるための支持手段が設けられていることを特徴とする請求項１に記載の消毒用容器。
【請求項７】
前記トレー体の前記収容空間には、前記トレー体よりも上方の位置で、トレー体と同じ方向に挿脱される小ケースが配置されるようになっており、この小ケースが、比較的小さな消毒対象物を収容するための開閉可能な空間を有し、かつこの空間と外部とを連通する複数の開口もしくはスリットを備えていて、さらに、この小ケースの一部が小ケースから着脱される構成とされており、この取り外した一部が、前記トレー体の前記支持手段に取り付けられる前記押さえ蓋であることを特徴とする請求項６に記載の消毒用容器。
【請求項８】
前記載置状態において、前記扉部が上方に移動されることで前記開口部を開き、かつこの扉部が前記ケース体の上面に沿ってスライドする構成としたことを特徴とする請求項１に記載の消毒用容器。
【請求項９】
前記扉部が、前記開口部を覆う本体部と、この本体部から両側面に曲折された側面部と、この側面部に形成された案内手段と、この案内手段に係合する前記ケース体側壁部に設けられた係合部とを備えており、この係合部が前記案内手段によって前記扉部に対して相対的に移動することにより、前記扉部が、前記ケース体の上面に沿ってスライドして前記開口部を開く構成としたことを特徴とする請求項８に記載の消毒用容器。
【手続補正２】
【補正対象書類名】明細書
【補正対象項目名】０００７
【補正方法】変更
【補正の内容】
【０００７】
上記目的は、請求項１の発明にあっては、内部に消毒対象物を収容する収容空間を有するケース体でなり、このケース体の開口部を開閉する扉部が前面に位置する載置状態として使用できるようにした消毒用容器であって、前記ケース体が、前記載置状態において、前記扉部を手前とした場合の該扉部の幅方向Ｘが、奥行き方向Ｙに対して僅かに長く、左右側壁部に露出した把持部を有しており、さらに、前記扉部を手前とした場合に、奥行き方向に移動されて前記収容空間に挿脱されるトレー体と、前記トレー体が前記収容空間に挿脱される状態で配置された際に手前側となる端部に形成されたトレー体の手掛かり部と、前記扉部が、前記ケース体の前記開口部を閉止した際の閉止状態を保持するための閉止手段と、前記扉部の下端付近に設けられ、前記扉部を閉止した際に、前記トレー体が前記収容空間に完全に収容された状態において、このトレー体の前端に当接して係止するための係止手段とを備える消毒容器により、達成される。
【手続補正３】
【補正対象書類名】明細書
【補正対象項目名】０００８
【補正方法】変更
【補正の内容】
【０００８】
第１の発明の構成によれば、本発明の消毒用容器は、ケース体を開閉する扉部が前面に位置する載置状態で電子レンジの庫内に収容して電子レンジによる消毒を行うことができるものである。
この場合、前記ケース体が、前記載置状態において、前記扉部を手前とした場合の扉部の幅方向が、奥行き方向に対して僅かに長いので、収容物となる哺乳瓶等の出し入れを行い易い。
また、ケース体の左右側壁部に露出した把持部を有していることから、電子レンジの庫内に出し入れする場合にも把手が邪魔にならず、この把手を使用して出し入れの作業がしやすい。
さらに、前記トレー体が手掛かり部を備えているので、安全にトレー体の移動操作を行うことができる。しかも扉部を閉止した際には閉止手段により扉部の閉止状態が保持されるので、消毒後にケース体を取り扱う場合に、不意に扉部が開いてしまうことがない。特に、扉部の下端付近には、係止手段が設けられており、トレー体が不用意に引き出されることが防止されているので、トレー体に収容された湯が使用者にかかったり、消毒対象物等を取り落とすことが有効に防止される。
【手続補正４】
【補正対象書類名】明細書
【補正対象項目名】０００９
【補正方法】変更
【補正の内容】
【０００９】
第２の発明は、第１の発明の構成において、前記扉部は、前記開口部の側縁に位置した支軸を中心として回動されることにより開閉される構成とされており、この支軸は、前記ケース体の側壁に設けられていて、該ケース体全体の外形がほぼ内接する仮想の円周の内側に位置するようにして、前記ケース体に固定されていることを特徴とする。